(57)【要約】【課題】  本発明は、ピックアップローラをクリーニングして発生するゴミが印刷中または印刷前の記録用紙に付着しないようにした給紙装置を提供すること。【解決手段】  本発明の給紙装置１は、ピックアップローラ７と対向する位置の押し上げ板４には、記録用紙２に対して摩擦抵抗の大きな摩擦部材９を一方の面側に取り付けた給紙パッド８が配設され、この給紙パッド８の他方の面には、ピックアップローラ７の外周面に弾接してクリーニングを行うクリーニング部材１０が取り付けられ、給紙パッド８は、回転可能に押し上げ板４に支持されて、一方と他方の面が裏返し可能になっている。【選択図】        図１
2006008360.tif 000002
【特許請求の範囲】
【請求項１】
複数枚の記録用紙を収納可能な給紙カセットと、この給紙カセットに収納した前記記録用紙を押し上げ可能な押し上げ板と、この押し上げ板で押し上げられた前記記録用紙を１枚ずつピックアップ可能なピックアップローラとを備え、このピックアップローラと対向する位置の前記押し上げ板には、前記記録用紙に対して摩擦抵抗の大きな摩擦部材を一方の面側に取り付けた給紙パッドが配設され、この給紙パッドの他方の面には、前記ピックアップローラの外周面に弾接してクリーニングを行うクリーニング部材が取り付けられ、前記給紙パッドは、回転可能に前記押し上げ板に支持されて、前記一方と他方の面が裏返し可能になっていることを特徴とする給紙装置。
【請求項２】
前記記録用紙をピックアップ中の前記給紙パッドは、前記一方の面を前記ピックアップローラと対向させた状態で前記摩擦部材上に前記記録用紙が載置され、前記ピックアップする前記記録用紙が所定枚数以上になって前記摩擦部材上に前記記録用紙が無くなった時は、前記給紙パッドを回転させて前記他方の面が前記ピックアップローラと対向して前記クリーニング部材が前記ピックアップローラの外周面に前記弾接することを特徴とする請求項１記載の給紙装置。
【請求項３】
前記給紙パッドは、前記摩擦部材、または前記クリーニング部材のいずれか一方が上向きになって前記ピックアップローラと対向すると回転がロックされることを特徴とする請求項１または２記載の給紙装置。
【請求項４】
複数枚の記録用紙を収納可能な給紙カセットと、この給紙カセットに収納した前記記録用紙を押し上げ可能な押し上げ板と、この押し上げ板で押し上げられた前記記録用紙を１枚ずつピックアップ可能なピックアップローラとを備え、このピックアップローラと対向する位置の前記押し上げ板には、前記記録用紙に対して摩擦抵抗の大きな摩擦部材を有する給紙パッドと、前記ピックアップローラの外周面に弾接してクリーニングを行うクリーニング部材を有するクリーニングパッドとが交換可能になっていることを特徴とする給紙装置。
【請求項５】
前記記録用紙をピックアップ中の前記給紙パッドは、前記摩擦部材上に前記記録用紙が載置され、前記ピックアップする前記記録用紙が所定枚数以上になって前記摩擦部材上に前記記録用紙が無くなった時は、前記給紙パッドから前記クリーニングパッドに交換して、前記クリーニング部材が前記ピックアップローラの外周面に弾接するようにしたことを特徴とする請求項４記載の給紙装置。
【請求項６】
前記クリーニング部材は、不織布、またはブラシからなることを特徴とする請求項１乃至５のいずれかに記載の給紙装置。
【発明の詳細な説明】
【技術分野】
【０００１】
本発明は給紙装置に係わり、特に給紙カセットに収納した記録用紙を１枚ずつピックアップして印刷手段に給紙可能な給紙装置に関する。
【背景技術】
【０００２】
従来の給紙装置を、特許文献１に基づいて説明すると、給紙装置は、図７、図８に示すように、上方が開放された給紙カセット２１の内部には、複数枚の記録用紙Ｙが積層収納されている。
前記記録用紙Ｙは、押し上げ板２２に載置されて、バネ２３の付勢力で上方に付勢されて、コーナ部が分離爪２４に圧接されている。
また、押し上げ板２２に載置した記録用紙Ｙの上方には、回転軸２５を有するピックアップローラ２６が配設され、このピックアップローラ２６の外周面２６ａには、バネ３により上方に付勢される最上部の記録用紙Ｙが圧接している。
【０００３】
前記ピックアップローラ２６は、モータ２７の回転が歯車２８、２９を介して回転軸２５に伝達されて回転することにより、最上部の記録用紙Ｙがピックアップされて所定の印刷手段（図示せず）に給紙可能になっている。
また、ピックアップローラ２６の外周面２６ａには、常時クリーニング部材としてのブラシ３０が接触しており、ピックアップローラ２６の回転時にブラシ３０が外周面２６ａをクリーニングするようになっている。
【特許文献１】特開平０５−２２９６８１号公報
【発明の開示】
【発明が解決しようとする課題】
【０００４】
しかし、従来の給紙装置は、ピックアップローラ２６の外周面２６ａに常時ブラシ３０が接触してゴミを除去してクリーニングしているので、外周面２６ａから除去されたゴミが、給紙カセット２１内の印刷前または印刷中の記録用紙Ｙ上に落下して付着する。
このような印刷前または印刷中の記録用紙Ｙ上に落下して付着したゴミは、記録用紙Ｙと共に印刷手段に給紙されて画像印刷されるが、ゴミが付着しているために、印刷画像の品質が低下するおそれがあった。
本発明は前述したような課題を解決して、ピックアップローラをクリーニングして発生するゴミが印刷中、または印刷前の記録用紙に付着しないようにした給紙装置を提供することを目的とする。
【課題を解決するための手段】
【０００５】
前記課題を解決するための第１の手段として本発明の第１の実施の形態の給紙装置は、複数枚の記録用紙を収納可能な給紙カセットと、この給紙カセットに収納した前記記録用紙を押し上げ可能な押し上げ板と、この押し上げ板で押し上げられた前記記録用紙を１枚ずつピックアップ可能なピックアップローラとを備え、このピックアップローラと対向する位置の前記押し上げ板には、前記記録用紙に対して摩擦抵抗の大きな摩擦部材を一方の面側に取り付けた給紙パッドが配設され、この給紙パッドの他方の面には、前記ピックアップローラの外周面に弾接してクリーニングを行うクリーニング部材が取り付けられ、前記給紙パッドは、回転可能に前記押し上げ板に支持されて、前記一方と他方の面が裏返し可能になっていることを特徴とする。
【０００６】
また、前記課題を解決するための第２の手段として、前記記録用紙をピックアップ中の前記給紙パッドは、前記一方の面を前記ピックアップローラと対向させた状態で前記摩擦部材上に前記記録用紙が載置され、前記ピックアップする前記記録用紙が所定枚数以上になって前記摩擦部材上に前記記録用紙が無くなった時は、前記給紙パッドを回転させて前記他方の面が前記ピックアップローラと対向して前記クリーニング部材が前記ピックアップローラの外周面に前記弾接することを特徴とする。
【０００７】
また、前記課題を解決するための第３の手段として、前記給紙パッドは、前記摩擦部材、または前記クリーニング部材のいずれか一方が上向きになって前記ピックアップローラと対向すると回転がロックされることを特徴とする。
【０００８】
また、前記課題を解決するための第４の手段として本発明の第２の実施の形態の給紙装置は、複数枚の記録用紙を収納可能な給紙カセットと、この給紙カセットに収納した前記記録用紙を押し上げ可能な押し上げ板と、この押し上げ板で押し上げられた前記記録用紙を１枚ずつピックアップ可能なピックアップローラとを備え、このピックアップローラと対向する位置の前記押し上げ板には、前記記録用紙に対して摩擦抵抗の大きな摩擦部材を有する給紙パッドと、前記ピックアップローラの外周面に弾接してクリーニングを行うクリーニング部材を有するクリーニングパッドとが交換可能になっていることを特徴とする。
【０００９】
また、前記課題を解決するための第５の手段として、前記記録用紙をピックアップ中の前記給紙パッドは、前記摩擦部材上に前記記録用紙が載置され、前記ピックアップする前記記録用紙が所定枚数以上になって前記摩擦部材上に前記記録用紙が無くなった時は、前記給紙パッドから前記クリーニングパッドに交換して、前記クリーニング部材が前記ピックアップローラの外周面に弾接するようにしたことを特徴とする。
【００１０】
また、前記課題を解決するための第６の手段として、前記クリーニング部材は、不織布、またはブラシからなることを特徴とする。
【発明の効果】
【００１１】
本発明の第１の実施の形他に係わる給紙パッドの他方の面には、ピックアップローラの外周面に弾接してクリーニングを行うクリーニング部材が取り付けられ、給紙パッドは、回転可能に前記押し上げ板に支持されて、一方と他方の面が裏返し可能になっているので、クリーニング後のクリーニング部材が下向きになって、ピックアップローラからクリーニングされたゴミを下方に落下させることができる。そのために、印刷中または印刷前の記録用紙にクリーニングしたゴミが付着するのを防止できる。そのために、記録用紙をスリップすることなく確実にピックアップして印刷手段側に搬送することができる。
また、押し上げ板に給紙パッドを取り付けた状態で、給紙パッドを回転させて摩擦部材とクリーニング部材とを切り換えできるので操作性が良い。
【００１２】
また、ピックアップする記録用紙が所定枚数以上になって摩擦部材上に記録用紙が無くなった時は、給紙パッドを回転させて他方の面がピックアップローラと対向してクリーニング部材がピックアップローラの外周面に弾接するので、ピックアップローラを所定の間隔でクリーニングすることができ、常にピックアップローラをゴミの付着していない状態にしておくことができる。
【００１３】
また、給紙パッドは、摩擦部材、またはクリーニング部材のいずれか一方が上向きになってピックアップローラと対向すると回転がロックされるので、記録用紙のピックアップ、ピックアップローラのクリーニン時に給紙パッドをロックすることができる。そのために、記録用紙のピックアップ、ピックアップローラのクリーニングを確実に行うことができる。
【００１４】
また、本発明の第２の実施の形態の給紙装置に係わる押し上げ板には、記録用紙に対して摩擦抵抗の大きな摩擦部材を有する給紙パッドと、ピックアップローラの外周面に弾接してクリーニングを行うクリーニング部材を有するクリーニングパッドとが交換可能になっているので、ピックアップローラをクリーニングした後、クリーニングパッドを給紙パッドに交換することにより、給紙中または給紙前の記録用紙にピックアップローラからクリーニングされたゴミが付着するのを確実に防止できる。
【００１５】
また、記録用紙をピックアップ中の給紙パッドは、摩擦部材上に記録用紙が載置され、ピックアップする記録用紙が所定枚数以上になって摩擦部材上に記録用紙が無くなった時は、給紙パッドからクリーニングパッドに交換して、クリーニング部材がピックアップローラの外周面に弾接するようにしたので、クリーニング中に発生するゴミが記録用紙に付着するのを防止できる。
【００１６】
また、クリーニング部材は、不織布、またはブラシからなるので、ピックアップローラに付着したゴミをクリーニング部材で確実にクリーニングすることができる。
【発明を実施するための最良の形態】
【００１７】
以下、図面に基づいて本発明の給紙装置１の実施の形態を図１〜図６に基づいて説明する。図１は本発明の第１の実施の形態を説明する概略図であり、図２は本発明に係わる給紙パッドの裏返し動作を説明する概略図であり、図３は図１の要部平面図であり、図４は本発明の第１の実施の形態に係わる給紙パッドの斜視図であり、図５、図６は本発明の第２の実施の形態を説明する概略図である。
【００１８】
まず、本発明の給紙装置１は、例えば所定の大きさのカット紙からなる記録用紙２を複数枚積層して収納可能な筐体（図示せず）を有する給紙カセット３が配設され、この給紙カセット３の内部には、複数の記録用紙２を載置可能な、平板状の押し上げ板４が配設されている。
そして、押し上げ板４は、図示右側の支持部（図示せず）を支点として、図示左側が上下方向に回動自在になっている。
【００１９】
また、押し上げ板４は、後述するピックアップローラ７と対向する位置に、図３に示すような、矩形状で幅寸法Ａの大きさの開口部４ａが貫通形成され、この開口部４ａの図示上下の側面に隣接して一対の桟部４ｂ、４ｂが所定の幅寸法で形成されている。前記桟部４ｂ、４ｂの外側には、押し上げ板４を切り曲げして一対のパッド支持部５、５が形成されている。
そして、パッド支持部５を切り曲げされた跡の押し上げ板４には、ブランク孔４ｃが形成されている。
【００２０】
また、押し上げ板４を切り曲げして形成したパッド支持部５は、図１、図２に示すように、図示右側が入り口部５ａによって開放されて片持ち支持状になっている。そして、パッド支持部５は、入り口部５ａに連接して、２つの円弧からなる第１支持部５ｂと第２支持部５ｃとが入り口部５ａ側から形成されてアーチ状になっている。
また、押し上げ板４は、筐体の底板（図示せず）上に配置したコイルバネからなる弾性部材６によって、上方のピックアップローラ７側に弾性付勢されている。
【００２１】
前記ピックアップローラ７は、外周部がゴム等の摩擦抵抗の大きな部材で被覆されて、モータ等の駆動源によって矢印Ｂの時計回り方向に回転可能になっている。また、一対のパッド支持部５、５には、図４に示すような、給紙パッド８の回転軸８ｂがスナップ係支可能にいる。
前記給紙パッド８は、図３に示す押し上げ板４の開口部４ａの幅寸法Ａより小さな幅寸法Ｃで外形が矩形状に形成された基台８ａを有し、この基台８ａの前後方向に所定長さの回転軸８ｂが突出形成されている。
【００２２】
また、給紙パッド８は、図４に示すように、基台８ａの一方の面（図示上面側）にコルク等の摩擦抵抗の大きな摩擦部材９が接着剤等で固着され、基台８ａの他方の面（図示下面側）にピンクアップローラ７の外周面に弾接してクリーニングを行うことができるブラシ等からなるクリーニング部材１０が固着されている。このような給紙パッド８は、回転軸８ｂをパッド支持部５の入り口部５ａに位置させて、矢印Ｄの方向にスライド荷重を加えると、アーチ状にパッド支持部５が上方に弾性変形して、回転軸８ｂが第１支持部５ｂにスナップ係支されるようになっている。
【００２３】
前記第１支持部５ｂに支持した給紙パッド８は、図２に示すように、幅寸法Ｃの基台８ａが、幅寸法Ａの押し上げ板４の開口部４ａの略中央部に位置する。
そのために、給紙パッド８は、回転軸８ｂを中心として矢印Ｅ方向、または反対方向に回転自在になっている。
また、給紙パッド８は、回転軸８ｂの直径寸法が基台８ａの厚さ寸法より若干小さくなっており、第１支持部５ｂにスナップ係支すると、回転軸８ｂの軸方向におけるガタが、開口部４ａで規制されるようになっている。
【００２４】
また、第１支持部５ｂに支持した給紙パッド８に、更に矢印Ｄ方向のスライド荷重を加えると、回転軸８ｂが第１支持部５ｂから第２支持部５ｃにスライドして、第２支持部４ｃにスナップ係支されるようになっている。
この時の給紙パッド８は、図１、図３に示すように、基台８ａの左端部である一端部側が開口部４ａからはみ出して押し上げ板４の表面に乗り上げる。
そのために、給紙パッド８は、矢印Ｅ方向の回転が規制されるようになっている。即ち、給紙パッド８は、摩擦部材９、またはクリーニング部材１０のいずれか一方が上向きになってピックアップローラ７と対向すると、矢印Ｅ方向の回転がロックされるようになっている。
【００２５】
このような第１の実施の形態の給紙装置１における記録用紙２の給紙動作を説明すると、まず、給紙パッド８の回転軸８ｂを第１支持部５ｂにスナップ係支した状態で、図２に示すように、摩擦部材９が上方に、クリーニング部材１０が下方になるように、基台８ａを回転させる。
この状態の給紙パッド８に矢印Ｄ方向のスライド荷重を加えて、給紙パッド８の回転軸８ｂを第２支持部５ｃにスナップ係支すると、摩擦部材９がピックアップローラ７と対向する位置でスライドが停止する。
同時に、給紙パッド８は、基台８ａの左側の一端部側が開口部４ａからはみ出して押し上げ板４上に位置し、矢印Ｅ方向の回転が規制される。
【００２６】
この状態の給紙パッド８上に、複数枚の記録用紙２を載置して、弾性部材６の付勢力で押し上げ板４を上昇させて、記録用紙２をピックアップローラ７に弾接する。その後、ピックアップローラ７を矢印Ｂ方向に回転駆動すると、最上部の１枚の記録用紙２がピックアップされて、矢印Ｆ方向に給紙される。
この矢印Ｆ方向に給紙された記録用紙は、給紙方向における給紙カセット３より下流側の印刷手段で、所望の画像が印刷されるようになっている。
そして、印刷中にピックアップされた記録用紙２の枚数が所定枚数以上になって、給紙パッド８の摩擦部材９上に記録用紙２が無くなると、押し上げ部材４を弾性部材６の付勢力に抗して降下させる。
【００２７】
その後、給紙パッド８に矢印Ｄと反対方向の荷重を加えて、回転軸８ｂを第２支持部５ｃから第１支持部５ｂに移動させ、基台８ａを矢印Ｅ方向に回転させてクリーニング部材１０を上向きにすると共に、摩擦部材９を下向きにする。
そして、再度、給紙パッド８を矢印Ｄ方向に移動させて、回転軸８ｂを第２支持部５ｃにスナップ係止して、クリーニング部材１０をピックアップローラ７と対向させると共に、押し上げ板４を上昇させる。
すると、クリーニング部材１０がピックアップローラ７の外周面に弾接して、矢印Ｂ方向に回転するピックアップローラ７の外周面がクリーニングされる。
【００２８】
このような本発明の第１の実施の形態の給紙装置１は、給紙カセット３内に記録用紙２が無くなってからピックアップローラ７をクリーニングするので、従来のような、印刷中または印刷前の記録用紙２にクリーニングしたゴミが付着することなく、高品質の画像印刷を行うことができる。
また、クリーニング部材１０でクリーニングされてピックアップローラ７からクリーニング部材１０上に落下したゴミは、給紙時に給紙パッド８を回転させて、クリーニング部材１０を下向きにするので、クリーニング部材１０上に落下したゴミは、下方に落下して印刷中の記録用紙２に付着することがない。
【００２９】
尚、本発明の第１の実施の形態では、パッド支持部５を押し上げ板４の一部を切り曲げして一体形成したもので説明したが、パッド支持部５は、押し上げ板４と別体のもので形成して、押し上げ部材４に接着剤等で固着したものでも良い。
また、摩擦部材９をコルクで説明したが、ゴム等の摩擦抵抗が大きな物であれば良い。更に、クリーニング部材１０をブラシで説明したが、クリーニング部材１０は、目の粗い不織布等でも良い。
【００３０】
また、本発明の第２の実施の形態の給紙装置１１を図５、図６に基づいて説明すると、記録用紙２を収納可能な筐体（図示せず）を有する給紙カセット１３が配設され、この給紙カセット１３の内部に、平板状の押し上げ板１４が配設されている。この押し上げ板１４は、ピックアップローラ７と対向する位置に、所定の大きさで矩形状の開口部１４ａが貫通形成されている。
前記開口部１４ａには、図５に示すような給紙パッド１５と、図６に示すようなクリーニングパッド１６とが交換可能になっている。
【００３１】
前記給紙パッド１５は、基台１５ａと、この基台１５ａの上面にコルク等からなる摩擦部材１５ｂが接着剤等で固着されている。また、基台１５ａの下部には、開口部１４ａにスナップ係支可能なフック部１５ｃが形成されている。
また、クリーニングパッド１６は、基台１６ａとこの基台１６ａの上面にブラシ等からなるクリーニング部材１６ｂが接着剤等で固着されている。また、基台１６ａの下部には、給紙パッド１５と同様に、フック部１６ｃが形成されて、クリーニングパッド１６を開口部１４ａにスナップ係支可能になっている。
【００３２】
そして、開口部１４ａに給紙パッド１５を装着して、摩擦部材１５ｂ上に複数枚の記録用紙２を載置し、弾性部材６の付勢力で押し上げ板１４を上昇させて、記録用紙２をピックアップローラ７に弾接する。
その後、第１の実施の形態と同様に、ピックアップローラ７を矢印Ｂ方向に回転駆動すると、記録用紙２がピックアップされて、矢印Ｆ方向に給紙することができる。
【００３３】
また、ピックアップされた記録用紙２の枚数が所定枚数以上になって、摩擦部材１５ｂ上に記録用紙２が無くなると、押し上げ部材４を弾性部材６の付勢力に抗して降下させる。その後、開口部１４ａから給紙パッド１５を取り出して、開口部１４ａにクリーニングパッド１６をスナップ係支して装着し、押し上げ板１４を上昇させる。
すると、クリーニング部材１６ｂがピックアップローラ７の外周面に弾接して、矢印Ｂ方向に回転するピックアップローラ７の外周面がクリーニングされる。
【００３４】
このような本発明の第２の実施の形態の給紙装置１１は、クリーニング部材１６ｂでクリーニングされてクリーニング部材１６ｂ上に落下したゴミは、クリーニングパッド１６を交換時に、クリーニングパッド１６と一緒に給紙装置１１外部に取り出されるので、印刷中または印刷前の記録用紙２にクリーニング時に発生したゴミが付着するのを確実に防止できる。
【図面の簡単な説明】
【００３５】
【図１】本発明の第１の実施の形態を説明する概略図である。
【図２】本発明に係わる給紙パッドの裏返し動作を説明する概略図である。
【図３】図１の要部平面図である。
【図４】本発明の第１の実施の形態に係わる給紙パッドの斜視図である。
【図５】本発明の第２の実施の形態を説明する概略図である。
【図６】本発明の第２の実施の形態を説明する概略図である。
【図７】従来の給紙装置の要部斜視図である。
【図８】従来の給紙装置の要部断面図である。
【符号の説明】
【００３６】
１  第１の実施の形態の給紙装置
２  記録用紙
３  給紙カセット
４  押し上げ板
４ａ  開口部
４ｂ  桟部
４ｃ  ブランク孔
５  パッド支持部
６  弾性部材
７  ピックアップローラ
８  給紙パッド
８ａ  基台
８ｂ  回転軸
９  摩擦部材
１０  クリーニング部材
１１  第２の実施の形態の給紙装置
【図１】
2006008360.tif 000003
【図２】
2006008360.tif 000004
【図３】
2006008360.tif 000005
【図４】
2006008360.tif 000006
【図５】
2006008360.tif 000007
【図６】
2006008360.tif 000008
【図７】
2006008360.tif 000009
【図８】
2006008360.tif 000010